(57)【要約】【課題】効果的な運指練習を行うことのできる弦楽器用の運指練習具を提供する。【解決手段】本体１と、この本体１の端部に回転又は旋回可能に設けられた指板案内体３と、この指板案内体３にガイドされて移動する指板２があり、この指板２には４本の指の指先を当接させる指位置決め手段８があって、指板２は指板案内体３上を摺動する。指板案内体３は軸受け６に接合されており、軸受け６は所定の位置に位置決めし、回転させた後に固定状態にできる。トレーニング者は指板案内体を所定の位置で所定の角度に位置決めして、固定した後の指板の指位置決め手段８に１本から４本の指を挿入して、往復移動する事で実際のバイオリンの演奏を見立ててトレーニングができる。【選択図】図１
2012032686.tif 000002
【特許請求の範囲】
【請求項１】
本体と、この本体の端部に回転又は旋回可能に設けられた指板案内体と、前記指板案内体にガイドされて移動する指板と、前記指板に弦楽器の弦を押さえる指の位置を決める指位置決め手段とを備え、前記指板を前記指板案内体にガイドして往復移動させる事を特徴とする弦楽器のトレーニング器。
【請求項２】
指板案内体と本体との位置決めをする位置規制手段を備えた事を特徴とする請求項１記載の弦楽器のトレーニング器。
【請求項３】
指板の回転を規制する回転規制手段を備えた事を特徴とする請求項２記載の弦楽器のトレーニング器。
【請求項４】
指板案内体の軸受を本体に備えた請求項１記載の弦楽器のトレーニング器。
【発明の詳細な説明】
【技術分野】
【０００１】
本発明は弦楽器演奏のトレーニングに関するものである。
【背景技術】
【０００２】
弦楽器の演奏では、楽譜の運指指示に従って弦の所定場所（被運指部）を正確に又滑らかに鋭敏に運指することが求められる。そのためには各指が演奏に適した正しい形を形成できるように指の各部関節を柔らかくする必要がある。
【０００３】
このような運指の練習具として、特開２００８−０４０４３９公報があった。この練習具は本体に対して角度が一定に設けられた移動棒に案内された移動式指板をスライドする構造であった。
【先行技術文献】
【特許文献】
【０００４】
【特許文献１】特開２００８−０４０４３９号公報
【発明の概要】
【発明が解決しようとする課題】
【０００５】
従来の練習具は指板の移動がいつも同じ角度であるので、弦楽器の演奏の動きに結びつかず、効果的な運指練習を行いがたい問題があった。
本発明は、前記従来の問題点を改善して開発されたものであり、指板に傾きを付ける事ができ、実際の弦楽器の演奏における押弦状態の時の指、手、腕の位置に近づけて運指トレーニングのでき、練習効果を一層向上させることのできる楽器の運指練習具の提供を目的とするものである。
【０００６】
バイオリンの指板全域で、自由な動作の訓練ができる運指練習具の提供を目的とするものである。
【課題を解決するための手段】
【０００７】
本発明の弦楽器のトレーニング器は、本体１の端部に回転又は旋回可能に指板案内体３を備えており、前記指板案内体３にガイドされて指板２を往復移動させてトレーニングを行う。
【発明の効果】
【０００８】
指板案内体３を傾ける事ができるようにしたので、指、手、腕を、各弦の演奏に適した正しいフォームが形成でき、又トレーニングの繰り返しによって指、手、腕の各部関節を柔らかくすることができる。そして、余裕のある構えで演奏する事ができるようになり、指を自在に正確にコントロールできるようになる。
【図面の簡単な説明】
【０００９】
【図１】本発明の実施例を示す弦楽器のトレーニング器の構成図
【図２】同トレーニング器のＡ−Ａ断面図
【図３】同トレーニング器のＢ−Ｂ断面図
【図４】同トレーニング器のＣ−Ｃ断面図
【図５】同トレーニング器の背面図
【図６】同トレーニング器の使用状態を示す図
【図７】（ａ)図（ｂ）図はそれぞれ同トレーニング器の指板案内体３の軸受６を示す図
【図８】（ａ)図（ｂ）図はそれぞれ同トレーニング器の指板案内体３の形状を示す図
【図９】バイオリン演奏時の腕の位置
【発明を実施するための形態】
【００１０】
本発明を図に基づいて説明すると、図１に示すように本体１の端部に指板案内体３を本体１の長手方向に設ける。２は、指板で、表面に指穴８（指位置決め手段）を有し、バイオリンの弦を押さえる位置で指の位置を決めるこの指板は貫通孔を有しており指板案内体３に挿入され、往復移動する事ができる。１１は、バイオリンの弓を通すための弓案内体である。
【００１１】
図２は、図１のＡ―Ａ断面であり、断面が四角形の指板案内体３の端部には球状の軸受６設けられており、本体１の軸受可動域４のクッション７と、押さえ板１０に挟まれている。軸受６は回転又は３次元方向に旋回する事ができ、ネジ（規制手段）６を回転させる事でその位置で固定させる事ができる。
【００１２】
図３は、図１のＢ−Ｂ断面図であり、球面の軸受６は、軸受可動域４内において左右の方向にも移動する事が可能である。軸受け６は可動域４内で、所定の場所に配置した後図５に示すようにネジ（位置規制手段）５で固定する事ができる。
【００１３】
次に動作について説明する。図６は、本発明のトレーニングの状態を示した図であり、指板案内体３を軸方向に回転させて、その位置でネジ５によって固定しており指板案内体３と指板２の孔は四角形であり、回転位置規制手段を構成し、回転は規制される。すなわち、指板案内体３は、ひねられた状態で固定され、指板２でガイドされて移動されながら、弓１２を弓案内体１１に沿って移動させて、バイオリンの演奏のトレーニングを行う。
【００１４】
この状態でネジ５を緩めて軸受６に規制を解除することにより、指板案内体３を軸方向に回転又は上下左右に旋回しながら指板２を往復移動させてトレーニングを行う事ができる。
【００１５】
軸受６は球面形状の物を示したが、指板案内体６の軸回転方向のみさせる場合には図７（ｂ）図に示すように円筒形状にする事ができ、軸受６の製作が容易である。
【００１６】
図８は、指板案内体３の形状を示した実施例であり、図３（ｂ）図に示すように断面を円形状に構成する事ができ、指板２の貫通孔も円形にする事で指板２は滑らかに回転可能である。すなわち、指板２を回転させながら、往復移動させてトレーニングを行う。この時、指板案内体３の軸受６はネジ５で規制されるかあるいは、開放させてもよい。
【００１７】
バイオリン演奏とほぼ同じフォーム又は、さらに負荷を掛けたハードなフォームで行う事ができるので、柔軟性を増し、押弦時の指の筋力を強め指の動きのスピードアップに繋がり、又持久力も向上する。演奏時に各関節の柔軟性が充分でないと、指を広げるために力を込め続けることになる。そうすると、ぎこちない動きなり美しい音色で、滑らかに演奏し続ける事は困難である。又、筋肉の疲労により、腱鞘炎に代表される手の故障を起こす事も稀ではない。本発明は、バイオリンを弾く腕、手、指の形態の又図９に示すように実際のバイオリンを弾いている時の肘の移動がスムーズにできるようになりバイオリン演奏の動作改善又は、技術が向上する。
【符号の説明】
【００１８】
１、本体
２、指板
３、指板案内体
４、軸受け可動域
５、ネジ（位置規制手段）
６、軸受
８、指穴（指位置決め手段）
【図１】
2012032686.tif 000003
【図２】
2012032686.tif 000004
【図３】
2012032686.tif 000005
【図４】
2012032686.tif 000006
【図５】
2012032686.tif 000007
【図６】
2012032686.tif 000008
【図７】
2012032686.tif 000009
【図８】
2012032686.tif 000010
【図９】
2012032686.tif 000011